(57)【要約】    【課題】容易かつ安全にシートが引き寄せられ、柱等に結び付けられ得るシート引き寄せ具の提供。    【解決手段】シート引き寄せ具１は、一対の引き紐２と、一対のフック３と、リング４と、張力付与部５とを備える。張力付与部５は、側枝部５ａと踏み板部５ｂとを備える。足場柱８において一対の引き紐２をクロスさせた上で一対のシート６にフック３を係止させ、張力付与部５の踏み板部５ｂに足を載せることで、少ない力で、容易かつ確実に、シート６を引き合わせることが出来る。シート６が引き合わせられた状態においては、シート６の位置が安定しているので、容易かつ確実にシート６が足場柱８に結び付けられ得る。【選択図】図１
2006193894.tif 000002
【特許請求の範囲】
【請求項１】
引き紐と、
該引き紐の端部に設けられており、シートを係止するための係止手段と、
上記引き紐に張力が与えられるための手段と
を備えるシート引き寄せ具。
【請求項２】
ロック手段をさらに備えており、該ロック手段によって張力が与えられた状態で上記引き紐が固定されるように構成されている請求項１に記載のシート引き寄せ具。
【請求項３】
上記ロック手段がスライドストッパーである請求項２に記載のシート引き寄せ具。
【発明の詳細な説明】
【技術分野】
【０００１】
本発明は、建築作業用足場に張られるためのシート、看板として用いられるシート等を引き寄せて柱等に固定するためのシート引き寄せ具に関する。
【背景技術】
【０００２】
建築現場においては、工具や部品、資材等の落下防止、防音、ほこり防止等のために、建築作業用足場にシートが張られている。シートの端部には、シートの高さ方向に約３０ｃｍ間隔で、はとめ穴が設けられている。シートを足場柱に固定する場合、まず、作業者は両手を用いて、合わせるべき一対のシートを適宜の間隔まで引き寄せる。そして、一方の手で両方のシートを掴んでおき、他方の手で、両シートのはとめ穴に紐を通してシート同士を結ぶ。さらにこの紐が足場柱に括り付けられて、シートが足場柱に固定される。
【発明の開示】
【発明が解決しようとする課題】
【０００３】
前述のシート張り付け作業においては、両方のシートを掴んでシートの位置を固定しておくのが安定せず、片手で紐を結ぶのが容易でないという問題がある。また、特に風等がある場合に顕著であるが、シートを引き寄せたり、シートを掴んでおくのに非常に力を要し、作業の実行が危険であるという問題がある。
【０００４】
本発明の目的は、容易かつ安全にシートが引き寄せられ、このシートが引き寄せられた状態で、シートの位置が安定しており、容易かつ安全にシートが柱等に結び付けられ得るシート引き寄せ具の提供にある。
【課題を解決するための手段】
【０００５】
本発明に係るシート引き寄せ具は、
（１）引き紐、
（２）引き紐の端部に設けられており、シートを係止するための係止手段
及び
（３）引き紐に張力が与えられるための手段
を備える。
【０００６】
好ましくは、ロック手段をさらに備えており、該ロック手段によって張力が与えられた状態で引き紐が固定されるように構成されている。
【０００７】
好ましくは、ロック手段がスライドストッパーである。
【発明の効果】
【０００８】
本発明に係るシート引き寄せ具によれば、係止手段にシートが係止されることで、容易、確実、安全にシートが引き寄せられ、シートが引き寄せられた状態でシートの位置が安定しているので、容易かつ安全にシートが柱等に結び付けられ得る。
【発明を実施するための最良の形態】
【０００９】
以下、適宜図面が参照されつつ、好ましい実施形態に基づいて本発明が詳細に説明される。
【００１０】
図１は、本発明の一実施形態に係るシート引き寄せ具１が示された平面図である。このシート引き寄せ具１は、一対の引き紐２と、一対のフック３と、リング４と、張力付与部５とを備える。
【００１１】
引き紐２は、ワイヤに保護ビニール膜が被覆されたものであり、両端部に取付けリング２ａを備える。フック３は鉤形状である。フック３は、引き紐２の一方の取付けリング２ａに掛止されており、引き紐２の他方の取付けリング２ａはリング４に掛止されている。
【００１２】
張力付与部５は、あぶみ状の形状を有しており、人間の足が挿入されるアーチ形の側枝部５ａと、上部に滑り止めの凹凸部を有する踏み板部５ｂとを備える。リング４は、この側枝部５ａの中央部に取り付けられている。
【００１３】
このシート引き寄せ具１は、以下のようにして使用される。図２は、図１のシート引き寄せ具１がシート６に係止された状態が示された一部断面平面図である。
【００１４】
作業者は、まず、シート引き寄せ具１の一対の引き紐２を足場柱８の手前側から奥側に向けてクロスさせながら回し掛ける。シート６には、高さ方向に３０ｃｍ間隔ではとめ穴６ａが設けられており、はとめ穴６ａには、はとめ７が嵌められている。作業者は、引き紐２をクロスさせた状態で、引き合わせようとしている一対のシート６の対応するはとめ穴６ａにフック３を挿通させ、シート６にフック３を係止させる。
【００１５】
次に、作業者は、張力付与部５に片足を挿通させ、踏み板部５ｂに足を載せて、斜め下方向に力をかける。これにより引き紐２に張力が付与され、シート６が引き合わせられる。図３は、図１のシート引き寄せ具１によりシート６が引き合わせられた状態が示された一部断面平面図である。
【００１６】
この状態で、フック３が挿通され、係止されているはとめ穴６ａより１つ上に設けられている一対のはとめ穴６ａに紐１０を通してシート６を結び付け、さらに、足場柱８に紐１０を結び付ける。図４は、足場柱８に紐１０が結び付けられる状態が示された斜視図である。
【００１７】
本実施形態に係るシート引き寄せ具１によれば、足場柱８において一対の引き紐２をクロスさせた上で一対のシート６にフック３を係止させ、張力付与部５の踏み板部５ｂに足を載せるので、少ない力で、容易かつ確実に、シート６を引き合わせることが出来る。シート６が引き合わせられた状態においては、シート６の位置が固定されているので、容易かつ確実にシート６が紐１０により結び付けられる。そして、両手が空いているので安全に作業を行うことが出来る。
【００１８】
図５は、本発明の他の実施形態に係るシート引き寄せ具１１が示された平面図である。このシート引き寄せ具１１は、一対の引き紐１２と、一対のフック１３と、リング１４と、張力付与部１５と、スライドストッパー１６とを備える。
【００１９】
引き紐１２は、ワイヤに保護ビニール膜が被覆されたものであり、両端部に取付けリング１２ａを備える。フック１３は鉤形状を有している。フック１３は、引き紐１２の一方の取付けリング１２ａに掛止されており、引き紐１２の他方の取付けリング１２ａは、リング１４に掛止されている。
【００２０】
張力付与部１５は、あぶみ状の形状を有しており、人間の手が挿入されるアーチ形の側枝部１５ａと、手で握るための握り部１５ｂとを備える。リング１４は、側枝部１５ａの中央部に取り付けられている。
【００２１】
スライドストッパー１６は、内筒部１６ａと紐挿通孔１６ｂとを備える。スライドストッパー１６は、バネ（図示せず）を内蔵している。内筒部１６ａの端面を押圧したときにこのバネが圧縮され、内筒部に設けられた挿通孔（図示せず）と紐挿通孔１６ｂとが重なって、スライドストッパー１６は引き紐２の外周側をスライド出来るようになる。内筒部１６ａの押圧を解除したときに、バネが伸長して、内筒部１６ａの挿通孔と紐挿通孔１６ｂとがずれ、引き紐２が内筒部１６ａとスライドストッパー１６の本体との間に挟み付けられて、スライドストッパー１６は引き紐２の外周側をスライド出来なくなるように構成されている。
【００２２】
このシート引き寄せ具１１は、以下のようにして使用される。作業者は、まず、シート引き寄せ具１１の引き紐１２を足場柱８の手前側から奥側に向けてクロスさせながら回し掛ける。作業者は、引き紐１２をクロスさせた状態で、引き合わせようとしている一対のシート６の対応するはとめ穴６ａにフック１３を挿通させ、シート６にフック１３を係止させる。
【００２３】
次に、作業者は、一方の手１７で張力付与部１５の握り部１５ｂを握り、この手１７を手前に引きながら、他方の手でにスライドストッパー１６の内筒部１６ａの端面を押圧しつつ、スライドストッパー１６を反対側にスライドさせる。握り部１５ｂを手前に引くことにより、引き紐２に張力が付与され、シート６が引き合わせられる。シート６が引き合わせられたところで、内筒部１６ａの押圧を解除すると、引き紐２は足場柱８の手前側で固定される。図６は、図５のシート引き寄せ具１１によりシート６が引き合わせられた状態が示された一部断面平面図である。
【００２４】
この状態で、フック１３が挿通され、係止されているはとめ穴６ａより１つ上に設けられているはとめ穴６ａに紐を通してシート６を結び付け、さらに、足場柱８に紐を結び付ける。
【００２５】
本実施形態に係るシート引き寄せ具１１によれば、足場柱８において一対の引き紐１２をクロスさせた上でシート６にフック１３を係止させ、張力付与部１５の握り部１５ｂを引くので、少ない力で、容易かつ確実に、一対のシート６を引き合わせることが出来る。本実施形態においては、シート６を引き合わせるときに手を用いるので、脚が拘束されず、安定的に作業を行うことが出来る。また、スライドストッパー１６により引き紐２を介してシート６が足場柱８に堅固に固定されているので、紐の足場柱８への取付けがさらに容易となる。
【００２６】
なお、このシート引き寄せ具１１は、スライドストッパー１６を有するので、足場柱８が介在していなくても、一対のシート６が引き寄せられて、この状態で固定され得る。
【００２７】
前述の図１、図５に係るシート引き寄せ具の実施形態においては、シート引き寄せ具１又はシート引き寄せ具１１によりシート６を引き合わせた後、１つ上のはとめ穴６ａに紐１０を通してシート６を結び付ける場合につき説明しているがこれに限定されるものではなく、クリップ等によりシート６を結び付けることにしてもよい。また、引き紐２は、ワイヤに保護ビニール膜が被覆されたものに限定されるものではない。
【００２８】
そして、シート引き寄せ具１又はシート引き寄せ具１１は、それ自体の落下防止のために、リング４又はリング１４を、紐等を介して作業者のベルトに結び付けるように構成されてもよい。
【００２９】
さらに、フック３及びフック１３が鉤形状を有する場合につき説明しているがこれに限定されるものではない。図７は、本発明のさらに他の実施形態に係るシート引き寄せ具２１の一部が示された側面図である。このシート引き寄せ具２１はＳ字形状を有するフック２３を備える。図８は、本発明のさらに他の実施形態に係るシート引き寄せ具３１の一部が示された側面図であり、このシート引き寄せ具３１は、シート６を挟み付けるように構成されているフック３３を備える。
【００３０】
また、本発明のシート引き寄せ具は、一対のシートを引き合わせる場合に限定されず、一枚のシートを引き寄せる場合にも用いられ得る。
【産業上の利用可能性】
【００３１】
本発明に係るシート引き寄せ具は、建築作業用足場に張られるためのシートの他、看板として用いられるシート等を引き寄せて柱等に固定するために適用され得る。
【図面の簡単な説明】
【００３２】
【図１】図１は、本発明の一実施形態に係るシート引き寄せ具が示された平面図である。
【図２】図２は、図１のシート引き寄せ具が一対のシートに係止された状態が示された一部断面平面図である。
【図３】図３は、図１のシート引き寄せ具により一対のシートが引き合わせられた状態が示された一部断面平面図である。
【図４】図４は、足場柱に紐が結び付けられる状態が示された斜視図である。
【図５】図５は、本発明の他の実施形態に係るシート引き寄せ具が示された平面図である。
【図６】図６は、図５のシート引き寄せ具により一対のシートが引き合わせられた状態が示された一部断面平面図である。
【図７】図７は、本発明のさらに他の実施形態に係るシート引き寄せ具の一部が示された側面図である。
【図８】図８は、本発明のさらに他の実施形態に係るシート引き寄せ具の一部が示された側面図である。
【符号の説明】
【００３３】
１・・・シート引き寄せ具
２・・・引き紐
３・・・フック
４・・・リング
５・・・張力付与部
５ａ・・・側枝部
５ｂ・・・踏み板部
６・・・シート
６ａ・・・はとめ穴
７・・・はとめ
８・・・足場柱
９・・・足
１１・・・シート引き寄せ具
１２・・・引き紐
１３・・・フック
１４・・・リング
１５・・・張力付与部
１５ａ・・・側枝部
１５ｂ・・・握り部
１６・・・スライドストッパー
１６ａ・・・内筒部
１６ｂ・・・紐挿通孔
１７・・・手
【図１】
2006193894.tif 000003
【図２】
2006193894.tif 000004
【図３】
2006193894.tif 000005
【図４】
2006193894.tif 000006
【図５】
2006193894.tif 000007
【図６】
2006193894.tif 000008
【図７】
2006193894.tif 000009
【図８】
2006193894.tif 000010